(57)【要約】【課題】エンジン振動に伴って生じる振動を抑制することができるファンクラッチを提供すること。【解決手段】エンジンによって回転駆動される入力側回転部材１０と、入力側回転部材１０に対して回転自在に支持されると共に、入力側回転部材１０の回転が粘性流体を介して伝達されて回転する出力側回転部材２０と、出力側回転部材２０に取り付けられたファン４０と、を備えたファンクラッチにおいて、ファン４０は、出力側回転部材２０に対して減衰部材５０を介して固定されている構成とした。【選択図】図１
2019056475.tif 000002
【特許請求の範囲】
【請求項１】
エンジンによって回転駆動される入力側回転部材と、
前記入力側回転部材に対して回転自在に支持されると共に、前記入力側回転部材の回転が粘性流体を介して伝達されて回転する出力側回転部材と、
前記出力側回転部材に取り付けられたファンと、を備え、
前記ファンは、前記出力側回転部材に対して減衰部材を介して固定されている
ことを特徴とするファンクラッチ。
【請求項２】
請求項１に記載されたファンクラッチにおいて、
前記減衰部材は、前記出力側回転部材と前記出力側回転部材にボルト止めされる前記ファンとの間に配置されたラバーワッシャによって構成されている
ことを特徴とするファンクラッチ。
【発明の詳細な説明】
【技術分野】
【０００１】
本発明は、エンジンの冷却系に用いられるファンクラッチに関する発明である。
【背景技術】
【０００２】
従来、エンジンによって回転駆動される駆動軸と、駆動軸に固定されたドライブディスクと、駆動軸に対して回転自在に支持されると共に、ドライブディスク及び粘性流体を収容し、ドライブディスクの回転が粘性流体を介して伝達されて回転するクラッチケースと、クラッチケースに取り付けられたファンと、を備えたファンクラッチが知られている（例えば、特許文献１参照）。
【先行技術文献】
【特許文献】
【０００３】
【特許文献１】特開平９-２８７６２６号公報
【発明の概要】
【発明が解決しようとする課題】
【０００４】
ところで、従来のファンクラッチでは、駆動軸がエンジンによって回転駆動されるため、エンジンの振動が、駆動軸からドライブディスクに伝達されたり、駆動軸からケース支持位置を介してクラッチケースに伝達され、ファンクラッチの全体が振動する。このとき、エンジン振動等の周波数にファンクラッチの固有振動数が近いと、ファンクラッチが共振して振動が大きくなるという問題が生じる。
【０００５】
本発明は、上記問題に着目してなされたもので、エンジン振動等に伴って生じる振動を抑制することができるファンクラッチを提供することを目的とする。
【課題を解決するための手段】
【０００６】
上記目的を達成するため、本発明は、エンジンによって回転駆動される入力側回転部材と、入力側回転部材に対して回転自在に支持されると共に、前記入力側回転部材の回転が粘性流体を介して伝達されて回転する出力側回転部材と、出力側回転部材に取り付けられたファンと、を備えたファンクラッチにおいて、ファンは、出力側回転部材に対して減衰部材を介して取り付けられている。
【発明の効果】
【０００７】
よって、本発明では、エンジンから振動が入力したとき、ファンと出力側回転部材との間に介装される減衰部材が減衰器の機能を発揮し、また、この減衰部材を介して支持されたファンがマス（錘）の機能を発揮することで、エンジンから伝わる振動を抑制することができる。
【図面の簡単な説明】
【０００８】
【図１】実施例１のファンクラッチを示す縦断面図である。
【図２Ａ】実施例１のファンを示す平面図である。
【図２Ｂ】実施例１のファンに用いる取付金具を示す斜視図である。
【図３】実施例１の減衰部材を示す斜視図である。
【図４】実施例２のファンクラッチを示す縦断面図である。
【発明を実施するための形態】
【０００９】
以下、本発明のファンクラッチを実施するための形態を、図面に示す実施例１及び実施例２に基づいて説明する。
【００１０】
（実施例１）
まず、実施例１におけるファンクラッチの構成を、図１及び図２に基づいて説明する。
【００１１】
実施例１のファンクラッチ１は、自動車に搭載されたラジエータの冷却ファンに適用される温度感応型の粘性カップリングである。このファンクラッチ１は、図１に示すように、エンジンによって回転駆動される入力側回転部材１０と、入力側回転部材１０に対してベアリング３０を介して回転自在に支持されると共に、入力側回転部材１０の回転が粘性流体を介して伝達されて回転する出力側回転部材２０と、出力側回転部材２０に取り付けられたファン４０と、を備えている。
【００１２】
入力側回転部材１０は、ここでは、図示しないエンジンのプーリシャフト（不図示）に結合され、プーリシャフトが回転することで回転駆動される駆動軸１１と、駆動軸１１に固定されたドライブディスク１２と、を有している。
【００１３】
駆動軸１１は、根元にフランジ１１ａが形成され、このフランジ１１ａをプーリシャフトの先端に突合せて、複数のボルト・ナット（不図示）で締め付けられる。これにより、駆動軸１１は、プーリシャフトに対して一体的に結合される。なお、この駆動軸１１は、エンジンのクランクシャフトに直接繋がれていてもよい。
【００１４】
ドライブディスク１２は、中央に貫通孔１２ａが形成されたアルミニウム若しくは鉄製の円盤部材である。このドライブディスク１２は、セレーションが形成された駆動軸１１の先端部１１ｂが貫通孔１２ａの内側に圧入され、セレーションの凸部が貫通孔１２ａの内周面を塑性変形させて食い込むことで駆動軸１１に固定されている。このとき、貫通孔１２ａの内周面の変形によって、駆動軸１１と貫通孔１２ａとが一体的に回転可能になる。なお、ドライブディスク１２の固定方法としては、他にも、貫通孔１２ａに駆動軸１１の先端部１１ｂを強圧入（締まりばめ）してもよい。さらに、駆動軸１１の先端部１１ｂに雄ネジ溝を形成し、貫通孔１２ａの内側に雌ネジ溝を形成し、この雄ネジ溝と雌ネジ溝を螺合してドライブディスク１２を固定してもよい。いずれも場合であっても、ドライブディスク１２の固定状態をバックアップするために、図示しないロックナットを介してドライブディスク１２を駆動軸１１に固定してもよい。
また、このドライブディスク１２は、出力側回転部材２０の後述する第２クラッチケース２２に対向するトルク伝達面１２ｂに、ディスク側ラビリンス溝１２ｃが形成されている。なお、このディスク側ラビリンス溝１２ｃは、ドライブディスク１２の両面に形成されていてもよい。さらに、ドライブディスク１２の表面を平坦にし、ラビリンス溝が形成されていなくてもよい。
そして、このドライブディスク１２は、アルミニウム若しくは鉄製のものに限らない。例えば、マグネシウム、スチール、銅等の金属や、ポリフェニレンサルファイド樹脂等の耐熱性樹脂等により形成されていてもよい。
【００１５】
出力側回転部材２０は、駆動軸１１に回転自在に支持された第１クラッチケース２１と、この第１クラッチケース２１に固定されて、第１クラッチケース２１との間にドライブディスク１２及び粘性流体を収容する内部空間Ｋを形成する第２クラッチケース２２と、を有している。なお、この第１,第２クラッチケース２１,２２によりクラッチケースが形成されている。また、「粘性流体」とは、例えばシリコンオイルである。
【００１６】
第１クラッチケース２１は、中央に貫通孔２１ａが形成されたアルミニウム合金製の円盤部材である。貫通孔２１ａには、ベアリング３０を介して駆動軸１１が貫通している。これにより、駆動軸１１と第１クラッチケース２１との間にベアリング３０が介装され、第１クラッチケース２１は、駆動軸１１に対して回転自在に支持される。
【００１７】
ここで、ベアリング３０は、駆動軸１１の外周面に嵌合した内輪３０ａと、第１クラッチケース２１の貫通孔２１ａの内側に嵌合した外輪３０ｂと、内輪３０ａと外輪３０ｂの間に配置された保持器（不図示）に保持された複数の転動体３０ｃと、を有する転がり軸受である。このベアリング３０は、駆動軸１１の外周面に形成された段差部１１ｃとドライブディスク１２との間に配置され、軸方向に位置決めがなされている。
【００１８】
第２クラッチケース２２は、ドライブディスク１２を覆うアルミ合金製の皿型部材であり、周縁フランジ部２２ａが第１クラッチケース２１の周縁部にボルトＢを介して固定されている。これにより、第１クラッチケース２１と第２クラッチケース２２は、一体的に回転自在となっている。また、この第２クラッチケース２２は、周縁フランジ部２２ａにファン４０がボルト止めされ、内側面２２ｂのディスク側ラビリンス溝１２ｃに対向する位置に、ケース側ラビリンス溝２２ｃが形成されている。
なお、この第２クラッチケース２２及び第１クラッチケース２１は、アルミニウム合金製のものに限らない。例えば、マグネシウム、スチール、銅等の金属や、ポリフェニレンサルファイド樹脂等の耐熱性樹脂等により形成されていてもよい。
【００１９】
内部空間Ｋは、内部に設けられた仕切壁２４により、ドライブディスク１２が配置されたトルク伝達室２４ａと、オイル室２４ｂとに区画されている。ここで、ケース側ラビリンス溝２２ｃは、トルク伝達室２４ａ内に形成されている。
【００２０】
仕切壁２４は、周縁部が第２クラッチケース２２の内側面２２ｂに固定された円盤部材である。この仕切壁２４には開口部２４ｃが形成され、この開口部２４ｃを介してトルク伝達室２４ａとオイル室２４ｂとが連通し、粘性流体の流通が可能になっている。
さらに、第２クラッチケース２２には、一方の開口がトルク伝達室２４ａに開放し、他方の開口がオイル室２４ｂに開放したオイル循環路２４ｄが形成されている。すなわち、トルク伝達室２４ａとオイル室２４ｂとは、このオイル循環路２４ｄを介しても連通している。
【００２１】
そして、第２クラッチケース２２の中心部には、ピストン部材２３ａが出没可能に貫通している。内部空間Ｋから突出したピストン部材２３ａの一端は、板状のバイメタル２３の中心に固定されており、内部空間Ｋの内部に差し込まれたピストン部材２３ａの他端は、後述するバルブ２５に接触している。なお、ピストン部材２３ａと第２クラッチケース２２との間には、図示しないシール材が設けられ、粘性流体の漏れを防止している。
【００２２】
そして、第２クラッチケース２２の中心部には、ピストン部材２３ａが軸方向に移動可能に貫通している。内部空間Ｋから外部に突出したピストン部材２３ａの一端は、板状のバイメタル２３の湾曲中心に接触し、内部空間Ｋの中に差し込まれたピストン部材２３ａの他端は、後述するバルブ２５に接触している。つまり、ピストン部材２３ａは、バイメタル２３とバルブ２５の間に配置されている。なお、ピストン部材２３ａと第２クラッチケース２２との間には、図示しないシール材が設けられ、粘性流体の漏れを防止している。
【００２３】
バルブ２５は、板ばねによって形成されている。このバルブ２５は、一端が仕切壁２４のオイル室２４ｂ側の面にカシメ止め等によって固定され、中間部にピストン部材２３ａの先端が接触し、他端が開口部２４ｃに対向している。そして、バルブ２５は、常に他端が開口部２４ｃから離れる方向にばね力を作用させるが、平板状態のバイメタル２３によってピストン部材２３ａを介して押圧され、開口部２４ｃを閉鎖する。
【００２４】
一方、バイメタル２３は、ここでは帯状の平板形状に形成されており、長手方向の両端が第２クラッチケース２２の表面に固定されている。そして、このバイメタル２３は、ラジエータ通過後の空気温度であるファンクラッチ１の前面（バイメタル２３の前方）の雰囲気温度に応じて、平板状態から長手方向の中央部分が第２クラッチケース２２から離れる方向に湾曲変形していく。そして、ピストン部材２３ａは、このバイメタル２３の湾曲変形に併せて軸方向に移動する。バルブ２５は、ピストン部材２３ａが移動したことで、このピストン部材２３ａの移動距離に応じて開口部２４ｃを開放する。
具体的には、雰囲気温度が低温のとき、バイメタル２３は、撓みが小さくなって平板状になり、バルブ２５のばね力に抗してピストン部材２３ａの軸方向移動を規制する。これにより、バルブ２５はピストン部材２３ａを介して押さえられ、開口部２４ｃが閉鎖される。また、雰囲気温度が高温のとき、バイメタル２３が第２クラッチケース２２から離れる方向に湾曲変形し、ピストン部材２３ａを介してバルブ２５に伝達される押圧力が低下する。これにより、バルブ２５が自身のばね力で仕切壁２４から離れ、開口部２４ｃが開放される。
このように、バイメタル２３は、雰囲気温度に応じてバルブ２５で開口部２４ｃを開閉させて、オイル室２４ｂからトルク伝達室２４ａに戻される粘性流体の流量を調整する。そして、粘性流体の循環量が調整されることで、ドライブディスク１２から第２クラッチケース２２に伝達するトルクが変化する。
なお、実施例１では、バイメタル２３が帯状の平板形状を呈しているが、温度感応型の渦巻きバネを用いてもよい。
【００２５】
ファン４０は、図２Ａに示すように、出力側回転部材２０に嵌合する円筒状の樹脂製のボス部４１と、ボス部４１の外周面から径方向に突出形成された多数の翼部４２と、ボス部４１の内側に固定された取付金具４３と、を有している。
ここで、取付金具４３は、図２Ｂに示すように、ボス部４１の軸方向に延びてボス部４１に埋め込まれる筒状のインサート部４３ａと、インサート部４３ａの一端からボス部４１の内側に延在された固定部４３ｂとから構成されている。また、インサート部４３ａには、周方向に並ぶ多数の開口４３ｃが形成されている。
【００２６】
なお、ファン４０としては、ボス部４１及び翼部４２がすべて金属製のスチールファンであってもよいし、取付金具４３が円盤状のフラットプレートであってもよい。また、取付金具４３を有しておらず、ボス部４１が出力側回転部材２０に直接固定されていてもよい。
【００２７】
そして、固定部４３ｂに形成されたボルト穴４３ｄを貫通するボルトＢによって、取付金具４３が第２クラッチケース２２の周縁フランジ部２２ａに固定され、ファン４０が出力側回転部材２０に取り付けられる。ここでは、ボルトＢは、図１に示すように、第１クラッチケース２１に第２クラッチケース２２を固定するボルトと兼用する。
なお、ファン４０を出力側回転部材２０に固定するボルトＢと、第１クラッチケース２１に第２クラッチケース２２を固定するボルトとは別々に設けてもよい。さらに、第１クラッチケース２１に第２クラッチケース２２を固定する際、ボルトを用いないシーミング加工によって固定してもよい。
【００２８】
さらに、この実施例１のファンクラッチ１では、第２クラッチケース２２に対し、ファン４０が減衰部材５０を介して固定されている。
【００２９】
減衰部材５０は、エンジンから入力する振動を減衰可能な柔軟性を有するゴム製の円筒部材であり、取付金具４３のボルト穴４３ｄに嵌着されている。この減衰部材５０は、図３に示すように、ボルト穴４３ａに挿入されると共に、中心をボルトＢが貫通する本体部５１と、本体部５１の一端に形成された第１フランジ部５２と、本体部５１の他端に形成された第２フランジ部５３と、を有している。
【００３０】
そして、この減衰部材５０がボルト穴４３ｄに嵌着された際、第１フランジ部５２が、第２クラッチケース２２の周縁フランジ部２２ａと、取付金具４３の固定部４３ｂとの間に挟持される。また、第２フランジ部５３が、固定部４３ｂとボルトＢのボルトヘッドＢａとの間に挟持される。
【００３１】
次に、作用を説明する。まず、ファンクラッチの振動課題を説明し、続いて、実施例１のファンクラッチ１の作用を、「ファンクラッチの基本動作」と、「振動抑制作用」に分けて説明する。
【００３２】
［ファンクラッチの振動課題］
エンジンの回転力を利用してラジエータを冷却するファンを回転駆動させる際、ラジエータ通過後の空気温度等に応じてファンの回転数を制御するため、エンジンとファンとの間にファンクラッチを配置している。
【００３３】
このファンクラッチは、エンジンによって回転駆動される入力側回転部材と、この入力側回転部材の回転が粘性流体を介して伝達されて回転すると共に、ファンが取り付けられた出力側回転部材と、を備えた粘性カップリングである。ここで、出力側回転部材は、入力側回転部材に対し、例えばベアリング（転がり軸受）を介して回転自在に支持されている。
【００３４】
一方、このファンクラッチでは、エンジンが駆動している間は、常にエンジンからの振動が入力側回転部材へ入力される。また、出力側回転部材は、ベアリングを介して入力側回転部材に支持されているため、エンジンから入力側回転部材に入力した振動は、ベアリングを介して出力側回転部材にも常に入力されることとなる。
さらに、ファンクラッチの取付時に生じた偏芯や、ファンクラッチの取付面が斜めになった状態で取り付けたことによる取付面の振れが生じている場合には、エンジン振動とは逆側（すなわち、ファンクラッチ側）から駆動軸に振動が加わる。この結果、駆動軸を含むファンクラッチの全体が振動する。
【００３５】
これに対し、振動抑制を目的とする一般的な設計として、耐振動性を考慮して入力側回転部材の駆動軸の外径を太くしたり、ファンクラッチ全体の重量を軽量化したり、ファンクラッチの重心位置をベアリングのセンター位置に近づけたりすることが考えられる。さらに、ファンクラッチ取付時の偏芯の防止や、クラッチ取付面の精度向上を図り、振動抑制を実現することが考えられる。
しかし、ファンクラッチに接続されるエンジンから入力される振動の状態（周波数等）によっては、適切な振動抑制を行うことができず、想定した振動以上のものが発生してしまうことがある。すなわち、エンジンの大きさや種類、個々の性能バラツキ、また使用環境、ファンやファンクラッチの重量等の影響により、振動の特性が異なる。そのため、適切な振動抑制を行うためには、細かな仕様調整を可能とする必要がある。
【００３６】
［ファンクラッチの基本動作］
図１は、エンジンが停止している冷間時のファンクラッチ１を示している。この状態では、仕切壁２４に形成された開口部２４ｃは、バルブ２５により閉鎖されている。このような状態からエンジンが駆動してプーリシャフトが回転すると、実施例１のファンクラッチ１では、プーリシャフトに結合された駆動軸１１が一体的に回転駆動される。そして、この駆動軸１１と共にドライブディスク１２が回転する。このとき、トルク伝達室２４ａ内の粘性流体は、ドライブディスク１２の回転によって発生する遠心力の作用により、オイル循環路２４ｄを通ってオイル室２４ｂへと流れていく。
【００３７】
しかし、雰囲気温度が低い状態では、バイメタル２３は変形しないので、ピストン部材２３ａはバルブ２５を押圧している状態から移動せず、開口部２４ｃはバルブ２５により閉じられたままとなる。そのため、粘性流体は、ドライブディスク１２の回転による遠心力でオイル室２４ｂに回収されるだけで、トルク伝達室２４ａには供給されない。これにより、ディスク側ラビリンス溝１２ｃとケース側ラビリンス溝２２ｃとの間の粘性流体が微量になり剪断抵抗力が小さくなるため、ドライブディスク１２から第２クラッチケース２２へのトルク伝達がほとんど行われず、出力側回転部材２０の回転数は上昇しない。つまり、ファン４０の回転数が上昇しない。
【００３８】
これに対し、雰囲気温度が上昇し始めると、温度に感応するバイメタル２３が湾曲することでピストン部材２３ａが軸方向に移動し、バルブ２５に対する押圧力が弱まり、開口部２４ｃが開き始める。そのため、オイル室２４ｂ内の粘性流体が開口部２４ｃを通じてトルク伝達室２４ａへと流れ込む。これにより、ディスク側ラビリンス溝１２ｃとケース側ラビリンス溝２２ｃとの間の粘性流体が増量し、このディスク側ラビリンス溝１２ｃとケース側ラビリンス溝２２ｃとの間において、粘性流体の粘性による大きな剪断抵抗力が発生する。
【００３９】
そして、この剪断抵抗力により、入力側回転部材１０の回転トルクが出力側回転部材２０に伝達される。これにより、出力側回転部材２０は入力側回転部材１０の回転に伴って回転し、ファン４０の回転が上昇する。
なお、ディスク側ラビリンス溝１２ｃとケース側ラビリンス溝２２ｃとの間を通過した粘性流体は、ドライブディスク１２の回転によって発生する遠心力の作用により、オイル循環路２４ｄを通ってオイル室２４ｂに戻される。
【００４０】
［振動抑制作用］
実施例１のファンクラッチ１では、エンジンが駆動している間は、常にエンジンからの振動が駆動軸１１へと入力される。すなわち、この駆動軸１１及びドライブディスク１２を有する入力側回転部材１０には、エンジンからの振動が常に伝達される。
【００４１】
一方、出力側回転部材２０である第１クラッチケース２１は、ベアリング３０を介して駆動軸１１に支持されている。そのため、エンジンから駆動軸１１へ入力された振動は、ベアリング３０を介して第１クラッチケース２１へと伝達される。その結果、第１クラッチケース２１及びこの第１クラッチケース２１に固定された第２クラッチケース２２を有する出力側回転部材２０にも、エンジンからの振動が常に入力される。
【００４２】
さらに、ファンクラッチ１の取付時にアンバランス（偏芯や傾き）があると、ファン４０が回転することで第１クラッチケース２１及び第２クラッチケース２２が振動する。この振動は、ベアリング３０を介して駆動軸１１へと入力される。
【００４３】
これに対し、実施例１では、ファン４０が第２クラッチケース２２に対して減衰部材５０を介して固定されている。そのため、駆動軸１１に入力された振動が有する振幅エネルギーは、ベアリング３０及び第１クラッチケース２１を介して第２クラッチケース２２へと伝達され、減衰部材５０に一旦蓄えられる。そして、この減衰部材５０に蓄えられた振幅エネルギーは、逆方向に振動する逆振幅時に放出される。つまり、減衰部材５０が、減衰器の機能を発揮することになり、第２クラッチケース２２の振動を抑制することができる。
【００４４】
これにより、エンジンからの振動入力が生じた際、ファンクラッチ１が共振することが防止され、ファンクラッチ１に入力された振動の増大を抑制することができる。そして、ファンクラッチ１の振動増大が抑制されることで、片持ち状態になっている駆動軸１１の根元部分に繰り返し加わる応力の増大による駆動軸１１の破損や、ファンクラッチ１の構成部品（ベアリング３０、ファン４０等）の摩耗や破損等を抑えることができる。そのため、ファンクラッチ１にかかる負担の軽減を図ることができる。また、振動による騒音の低減にも効果がある。
【００４５】
また、減衰部材５０を第２クラッチケース２２とファン４０との間に介装したことで、この減衰部材５０は、ファンクラッチ１の構造とは別に後付けすることができるし、量産品への適用も可能である。これにより、エンジンの性能や使用環境、ファンクラッチ１やファン４０等に応じて異なる振動特性に応じて、減衰部材５０の微妙な仕様調整を容易に行うことができる。つまり、要求される振動条件のもとでＣＡＥ（computer aided engineering）を用いて振動を抑制するために最適な減衰部材５０を予測したり、実験的に評価して調整し、適切な減衰部材５０を設定することが可能となる。この結果、適切な振動抑制を容易に図ることができる。
【００４６】
次に、効果を説明する。
実施例１のファンクラッチ１にあっては、下記に列挙する効果が得られる。
【００４７】
(1) エンジンによって回転駆動される入力側回転部材１０と、
前記入力側回転部材１０に対して回転自在に支持されると共に、前記入力側回転部材１０の回転が粘性流体を介して伝達されて回転する出力側回転部材２０と、
前記出力側回転部材２０に取り付けられたファン４０と、を備え、
前記ファン４０は、前記出力側回転部材２０に対して減衰部材５０を介して固定されている構成とした。
これにより、エンジン振動等に伴って生じる振動を抑制することができる。
【００４８】
（実施例２）
実施例２は、減衰部材を出力側回転部材とファンとの間に配置したラバーワッシャによって構成した例である。以下、図４に基づいて実施例２を説明する。なお、実施例１と同等の構成については、実施例１と同一の符号を付し、詳細な説明を省略する。
【００４９】
実施例２のファンクラッチ１Ａでは、図４に示すように、第２クラッチケース２２とファン４０の取付金具４３との間にゴムワッシャによって構成された減衰部材５０Ａを介装している。また、このファン４０を固定するボルトには、ゴムワッシャ５４付きのボルトＢ´を用いる。
なお、減衰部材５０Ａ及びゴムワッシャ５４は、いずれも振動を減衰可能なゴム製のワッシャであり、ボルトＢ´が貫通する円環状のプレートである。
【００５０】
これにより、取付金具４３の固定部４３ｂが減衰部材５０Ａとゴムワッシャ５４に挟み込まれ、第２クラッチケース２２に入力された振動が有する振幅エネルギーを減衰することができる。
【００５１】
また、減衰部材５０Ａをラバーワッシャによって構成したことで、減衰部材５０Ａの形状を単純化することができ、減衰部材５０Ａの微妙な仕様調整を容易に行うことができる。この結果、適切な振動抑制をさらに容易に図ることが可能となる。
【００５２】
すなわち、実施例２のファンクラッチ１Ａにあっては、次に挙げる効果が得られる。
【００５３】
(2) 前記減衰部材５０Ａは、前記出力側回転部材２０と前記出力側回転部材２０にボルト止めされる前記ファン４０との間に配置されたラバーワッシャによって構成されている構成とした。
これにより、(1)の効果に加え、減衰部材５０Ａの形状を単純化し、微妙な仕様調整を容易に行うことができて、より適切な振動抑制を行うことが可能になる。
【００５４】
以上、本発明のファンクラッチを実施例１及び実施例２に基づき説明してきたが、具体的な構成については、これらの実施例に限られるものではなく、特許請求の範囲の各請求項に係る発明の要旨を逸脱しない限り、設計の変更や追加などは許容される。
【００５５】
実施例１では、ファン４０を第２クラッチケース２２の周縁フランジ部２２ａに固定する例を示したが、これに限らない。ファン４０は、出力側回転部材２０に固定されていればよいので、第２クラッチケース２２の側面に固定されてもよいし、第１クラッチケース２１に固定されていてもよい。
【００５６】
また、減衰部材５０をゴム製の筒部材で構成する例を示したがこれに限らない。エンジンからの入力振動によって弾性変形可能であればよいので、例えば、シリコーンゴムや、合成樹脂製シーリング材、合成ゴム製シーリング材、変成シリコン等のシーリング材等によって構成されてもよい。
【００５７】
そして、各実施例では、バイメタル２３を用いて仕切壁２４に形成した開口部２４ｃを開閉するバルブ２５の作動を行うバイメタル式のファンクラッチに適用する例を示したが、これに限らない。電磁石によりバルブを作動させる電子制御式のファンクラッチであっても、本発明を適用することができる。
【００５８】
さらに、各実施例では、ファンクラッチ１が粘性流体を介して入力側回転部材の回転が出力側回転部材に伝達される粘性カップリングである例を示したがこれに限らない。例えば、電磁石により締結／解放が制御される摩擦クラッチを用いて、入力側回転部材の回転を出力側回転部材に伝達するファンクラッチであってもよい。
【００５９】
また、各実施例では、転がり軸受であるベアリング３０を用いて駆動軸１１に対して第１クラッチケース２１を回転自在に支持する例を示したが、これに限らない。出力側回転部材が入力側回転部材に回転自在に支持されていればよいので、例えばすべり軸受け（ブッシュ）を用いてもよい。
【符号の説明】
【００６０】
１  ファンクラッチ
１０  入力側回転部材
１１  駆動軸
１２  ドライブディスク
２０  出力側回転部材
２１  第１クラッチケース
２２  第２クラッチケース
２３  バイメタル
２４  仕切壁
２４ａ  トルク伝達室
２４ｂ  オイル室
２４ｃ  開口部
２４ｄ  オイル循環路
２５  バルブ
３０  ベアリング
４０  ファン
５０  減衰部材
【図１】
2019056475.tif 000003
【図２Ａ】
2019056475.tif 000004
【図２Ｂ】
2019056475.tif 000005
【図３】
2019056475.tif 000006
【図４】
2019056475.tif 000007